(57)【要約】【課題】  スラットの両面のうちのどちらの面を室内側に向けてもブラインド面に図柄が表示されるブラインドを提供する。【解決手段】  支持部材１１０と、支持部材１１０から傾動可能に吊り下げられるラダーテープ１２０と、ラダーテープ１２０により整列状態に支持されるとともに、ラダーテープ１２０の傾動により傾斜角度を可変とされる複数のスラット１３０と、を備え、複数のスラット１３０の両面１３０ａ、１３０ｂの少なくとも一部にはそれぞれ図柄１６０、１７０が設けられており、複数のスラット１３０を閉鎖すると、複数のスラット１３０の凸面１３０ａに受ける光の反射によって、凸面１３０ａに設けられた図柄１６０ａが凹面１３０ｂに映し出され、凹面１３０ｂには、凹面１３０ｂに設けられた図柄１７０ａと光の反射によって映し出された凸面１３０ａに設けられた図柄１６０ａとが表示される。【選択図】図５
2015169021.tif 000002
【特許請求の範囲】
【請求項１】
支持部材（１１０）と、
支持部材から傾動可能に吊り下げられるラダーテープ（１２０）と、
該ラダーテープにより整列状態に支持されるとともに、該ラダーテープの傾動により傾斜角度を可変とされる複数のスラット（１３０）と、
を備え、
前記複数のスラットの両面（１３０ａ、１３０ｂ）の少なくとも一部にはそれぞれ図柄（１６０、１７０）が設けられており、
前記複数のスラットを閉鎖すると、前記複数のスラットの一方の面に受ける光の反射によって、該一方の面に設けられた図柄が前記複数のスラットの他方の面に映し出され、前記他方の面には、該他方の面に設けられた図柄と前記光の反射によって映し出された前記一方の面に設けられた図柄とが表示されることを特徴とするブラインド。
【請求項２】
前記他方の面に表示される、前記他方の面に設けられた図柄と前記光の反射によって映し出された前記一方の面に設けられた図柄とはデザイン的に統一性があることを特徴とする請求項1記載のブラインド。
【発明の詳細な説明】
【技術分野】
【０００１】
本発明は、スラットに図柄を施したブラインドに関する。
【背景技術】
【０００２】
住宅や店舗の窓等に設置されるブラインドは、日差しを遮ったり、目隠しをしたりするという本来の機能の他に、デザイン性のある図柄や店名、商品名あるいは模様などの印刷が施されることによって、室内空間を彩ったり店の広告となるウインドサインの機能も有していたりする。
【０００３】
このようなブランドとしては、特許文献１に示されるものが知られている。これによれば、各羽根の表面に印刷エレメントが施され、互いに隣合う羽根の一部が重ねられて遮蔽状態にされたとき、各羽根に印刷された印刷エレメントがこれらの組合せによって１つもしくは複数の文字、記号または図柄となるように形成されている。また、遮蔽状態にされたときに重なって隠れる各羽根の表面の重ね代には、羽根に印刷される印刷エレメントと連続する印刷が延長して施されて構成されている。
【０００４】
これにより、完全に閉鎖された状態では無論、半開き状態でも一つの文字、記号又は図柄となって、美観を向上することができる効果を有する。
【先行技術文献】
【特許文献】
【０００５】
【特許文献１】特開２００４−３００８５８号公報
【発明の概要】
【発明が解決しようとする課題】
【０００６】
ところで、特許文献１記載のブラインドでは、羽根の裏面には印刷エレメントが印刷されていないため、各羽根を反転させて羽根の裏面を室内側に向けたときに、ブラインド面には羽根の地色のみが現れることになり、意匠上の変化をもたらすことができないという問題があった。
【０００７】
そこで、本発明は、このような問題に鑑みてなされたもので、その目的とするところは、スラットの両面のうちのどちらの面を室内側に向けてもブラインド面に図柄が表示されるブラインドを提供することにある。
【課題を解決するための手段】
【０００８】
上記課題を解決するために、本発明によれば、支持部材と、該支持部材から傾動可能に吊り下げられるラダーテープと、該ラダーテープにより整列状態に支持されるとともに、該ラダーテープの傾動により傾斜角度を可変とされる複数のスラットと、を備え、前記複数のスラットの両面の少なくとも一部にはそれぞれ図柄が設けられており、前記複数のスラットを閉鎖すると、前記複数のスラットの一方の面に受ける光の反射によって、該一方の面に設けられた図柄が前記複数のスラットの他方の面に映し出され、前記他方の面には、該他方の面に設けられた図柄と前記光の反射によって映し出された前記一方の面に設けられた図柄とが表示されることを特徴とするブラインドが提供される。
【０００９】
かかる発明によれば、複数のスラットの一方の面に受ける光の反射によって、一方の面に設けられた図柄が複数のスラットの他方の面に映し出され、他方の面には、他方の面に設けられた図柄と光の反射によって映し出された一方の面に設けられた図柄とが表示され、一つのデザインとして形成される。一方、複数のスラットの一方の面に受ける光の反射がない場合、複数のスラットの両面のうち室内側に向いた面の図柄のみが表示される。このように、スラットの回転の状態及び光の状態によって、スラットに表示される図柄が変化するため、意匠に変化を持たせることができる。
【００１０】
また、例えば、断面Ｃ字状の形状のスラットを用いた場合、一方の面を凸面、他方の面を凹面とすると、凸面に受ける光の反射によって、凸面の図柄が凹面に映し出されるため、スラットの曲面によって映し出される図柄をより大きく表示することができる。
【００１１】
さらに、他方の面に表示される、他方の面に設けられた図柄と光の反射によって映し出された一方の面に設けられた図柄とはデザイン的に統一性があるようにしてもよい。これにより、例えば、一方の面に木の図柄を設け、他方の面に花の図柄を設けた場合、スラットの一方の面を室内側に向けていたときには、スラット面には花が咲いていない木の図柄のみが表示される。しかし、日中、スラットの他方の面を室内側に向けると、屋外側を向いたスラットの一方の面に反射する日射により、花の図柄が設けられている他方の面に、スラットの一方の面に設けられている木の図柄が映し出されるため、スラット面には木に花が咲いたような図柄を表示することができる。
【発明の効果】
【００１２】
本発明によれば、複数のスラットの一方の面に受ける光の反射によって、一方の面に設けられた図柄が複数のスラットの他方の面に映し出され、他方の面には、他方の面に設けられた図柄と光の反射によって映し出された一方の面に設けられた図柄とが表示され、一つのデザインとして形成される。一方、複数のスラットの一方の面に受ける光の反射がない場合、複数のスラットの両面のうち室内側に向いた面の図柄のみが表示される。このように、スラットの回転の状態及び光の状態によって、スラットに表示される図柄が変化するため、意匠に変化を持たせることができる。
本発明のその他の効果については、以下の発明を実施するための形態の項でも説明する。
【図面の簡単な説明】
【００１３】
【図１】本発明の実施形態に係るブラインドにおいて、スラットの凸面を室内側に向けたときの正面図である。
【図２】本発明の実施形態に係るブラインドにおいて、スラットの凸面を室内側に向けたときの背面図である。
【図３】スラットにおける光の反射の状況を説明する図である。
【図４】昼間に、スラットの凹面を室内側に向けたときの背面図である。
【図５】昼間に、スラットの凹面を室内側に向けたときの正面図である。
【図６】夜間に、スラットの凹面を室内側に向けたときの正面図である。
【発明を実施するための形態】
【００１４】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１５】
本発明の実施形態に係るブラインドの構成について、図１及び図２を参照しながら説明する。本実施形態に係るブラインド１００は、ヘッドボックス（支持部材）１１０と、ヘッドボックス１１０から傾動可能に吊り下げられるラダーテープ１２０と、ラダーテープ１２０により整列状態に支持されるとともに、ラダーテープ１２０の傾動により傾斜角度を可変とされる複数のスラット１３０と、を備えて構成されている。以下、ブラインド１００の各構成について詳細に説明する。
【００１６】
ヘッドボックス１１０は、ブラケット１４０により図示していない窓枠等に取付けられており、ヘッドボックス１１０の一端からラダーテープ１２０の傾動を操作する操作ロッド１５０が垂下している。
【００１７】
（スラット１３０）
スラット１３０は、図３に示すように、側断面が軽く湾曲したＣ字状の形状をしており、アルミニウム合金により構成されている。スラット１３０の表面には、熱硬化性アクリル樹脂塗料が塗布されており、塗料の色を白色とした場合、スラット表面の可視光反射率は８２．３％である。可視光反射率の内訳は、正反射（鏡面反射）成分が３．２％、拡散反射成分が７９．１％となっている。
【００１８】
複数のスラット１３０の両面の少なくとも一部にはそれぞれ図柄１６０、１７０が設けられている。図柄１６０，１７０は、これらの各部分が対応する位置のスラット一枚一枚に設けられることにより、全体として一つの図柄１６０，１７０をそれぞれ構成するように設けられている。本実施形態では、スラット１３０の凸面１３０ａに設けられている図柄１６０は、図１に示すように、木に緑の葉が茂っている図柄である。一方、スラット１３０の凹面１３０ｂに設けられている図柄は、図２に示すように、複数の花によってハートが形成されている図柄である。各図柄１６０、１７０の各部分は、それぞれが対応するスラット１３０の位置にそれぞれシール状のものが貼り付けられたり、ペイントされたり、印刷されたりすることによって各スラット１３０に設けられている。なお、図柄は本実施形態のものに限らず、他のデザインの図柄を設けるようにしてもよい。特に、スラット１３０を反転させた際にも図柄が崩れにくいものが良い。
【００１９】
次に、本実施の形態の作用について図３〜図５を参照しつつ説明する。
図３に示すように、スラット１３０の凹面１３０ｂを室内側に向けた場合、屋外側を向いた凸面１３０ａに、日射が入射する。図３中矢印Ａで示すスラット１３０の凸面１３０ａへの直達入射は、その一部がスラット１３０の凸面１３０ａにおいて、図３中矢印Ｂで示すように正反射する。しかし、直達入射の多くは図３中矢印Ｃで示すように拡散反射され、拡散反射の一部が図３中矢印Ｄで示すように、上方に隣り合うスラット１３０の凹面１３０ｂに反射する。この上方に隣り合うスラット１３０の凹面１３０ｂに反射した光は、凹面１３０ｂで図３中矢印Ｃ´で示すようにさらに拡散反射される。スラット１３０の角度にもよるが、スラット１３０の上部に入射する日射が上方に隣り合うスラット１３０の凹面１３０ｂに拡散反射する。このため、上方に隣り合うスラット１３０の凹面１３０ｂに映し出される図柄は、下方に隣り合うスラット１３０の上縁寄りの図柄となる。また、凹面鏡と同様に、スラット１３０の凹面１３０ｂに映し出される図柄は、凸面１３０ａに設けられている図柄の上下が逆さになったものとなる。
【００２０】
具体的には、スラット１３０の凹面１３０ｂを室内側に向ける場合、操作ロッド１５０を操作して、スラット１３０を１８０度回転させる。これにより、室内側を向いていたスラット１３０の凸面１３０ａが屋外側を向き、屋外側を向いていたスラット１３０の凹面１３０ｂが室内側を向く。屋外側を向いた凸面１３０ａには、図４に示すように、各スラット１３０に設けられている図１に示す図柄１６０が１８０度回転した、すなわち、スラット１３０毎の図柄の上下が逆さになった図柄１６０ａが表示される。一方、室内側を向いた凹面１３０ｂにも、図５に示すように、各スラット１３０に設けられている図２に示す図柄１７０が１８０度回転した、すなわちスラット１３０毎の図柄の上下が逆さになった図柄１７０ａが反射によって表示される。
【００２１】
これにより、図柄１６０ａが表示されたスラット１３０の凸面１３０ａに上述のように日射が入射すると、図５に示すように、スラット１３０の凹面１３０ｂには、これに設けられている図柄１７０ａと、図柄１６０ａの上縁寄りの図柄が上下逆さまになった図柄とが反射によって表示される。すなわち、スラット１３０の凸面１３０ａには花が咲いていない木の図柄のみが描かれており、スラット１３０の凹面１３０ｂには木の無い花の図柄のみが描かれているが、花の図柄１７０ａが設けられている凹面１３０ｂに凸面１３０ａの木の図柄１６０ａが映し出されるため、スラット１３０の凹面１３０ｂには木に花が咲いたような図柄を表示することができる。
【００２２】
また、スラット１３０の凸面１３０ａに入射する日射の反射によって凹面１３０ｂに図柄を映し出すため、スラット１３０の曲面によって、凹面１３０ｂに映し出される図柄１６０ａがより大きく表示される。
【００２３】
次に、上述のようにスラット１３０の凹面１３０ｂを室内側に向けた状態のまま夜間になると、屋外側を向いたスラット１３０の凸面１３０ａに日射が入射しないため、凸面１３０ａの図柄１６０が凹面１３０ｂに映し出されない。したがって、凹面１３０ｂには図６に示すように、図柄１７０ａである花の図柄のみが表示されることになる。
【００２４】
このように、スラット１３０の回転の状態及び光の状態によって、スラット１３０に表示される図柄が変化するため、意匠に変化を持たせることができる。
【００２５】
なお、本実施形態のように、スラット１３０の両面に設けられる図柄を互いにデザイン的に統一性があるものとすることにより、意匠性をさらに向上させるようにすることができる。
【００２６】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものである。
【００２７】
なお、スラット１３０に設ける図柄は上記実施形態のデザインに限定されず、スラット１３０を反転させて、スラット１３０毎の図柄の上下が逆になったとしても、図柄全体を見たときに、図柄が崩れておらず、良好なデザインであるものであればよい。
【００２８】
また、図柄は、絵だけではなく、マークや文字などでもよい。
【００２９】
また、上記実施形態のスラット１３０は、断面形状が略Ｃ字状に湾曲したものであるが、フラットな形状のものを用いてもよい。
【符号の説明】
【００３０】
１１０  ヘッドボックス（支持部材）
１２０  ラダーテープ
１３０  スラット
１３０ａ  凸面
１３０ｂ  凹面
１６０、１７０  図柄
【図３】
2015169021.tif 000003
【図１】
2015169021.tif 000004
【図２】
2015169021.tif 000005
【図４】
2015169021.tif 000006
【図５】
2015169021.tif 000007
【図６】
2015169021.tif 000008